(57)【特許請求の範囲】
【請求項１】
互いに異なる波長の光を出射する複数の照明光源と、
前記照明光源からの光を映像信号に応じて変調する光変調素子と、
前記光変調素子からの光を回折するホログラム光学素子が透明基材上に形成された光学デバイスとを有する映像表示装置であって、
前記ホログラム光学素子は、前記複数の照明光源の波長に対応する複数の回折ピーク波長を持ち、
前記複数の照明光源のうち、同じ値の電流を流したときに消費電力が最も少ない特性を有する照明光源に対応した回折ピーク波長の回折効率が、他の回折ピーク波長の回折効率よりも低く、
前記照明光源は、各回折ピーク波長に対応する各発光チップを基板上に実装した１パッケージの発光ダイオードで構成されており、
同じ値の電流値を流したときの消費電力が順に小さくなる発光チップの発光波長の色順と同じ色順で回折効率が順に小さくなるように、各色の回折効率が設定されていることを特徴とする映像表示装置。
【請求項２】
前記各発光チップは、赤、緑、青の３色の各回折ピーク波長に対応しており、
同じ値の電流を流したときの各発光チップの消費電力が、発光波長の色順で大きいほうから青、緑、赤である場合に、各回折ピーク波長の回折効率が、回折波長の色順で大きいほうから青、緑、赤であることを特徴とする請求項１に記載の映像表示装置。
【請求項３】
各色の回折ピーク波長の回折効率のうち、最大の回折効率が７０％以上であることを特徴とする請求項１または２に記載の映像表示装置。
【請求項４】
各色の回折ピーク波長の回折効率は、前記照明光源から前記ホログラム光学素子を介して得られる再生光が白色となる回折効率に設定されていることを特徴とする請求項１から３のいずれかに記載の映像表示装置。
【請求項５】
前記光変調素子は、フィールドシーケンシャル方式で駆動されるものであることを特徴とする請求項１から４のいずれかに記載の映像表示装置。
【請求項６】
前記光変調素子は、カラーフィルタを有するものであることを特徴とする請求項１から４のいずれかに記載の映像表示装置。
【請求項７】
前記照明光源は、異なる発光波長の発光チップを時分割で順次発光させることを特徴とする請求項５または６に記載の映像表示装置。
【請求項８】
前記照明光源は、異なる発光波長の発光チップを同時に発光させることを特徴とする請求項６に記載の映像表示装置。
【請求項９】
前記光学デバイスの前記ホログラム光学素子は、体積位相型の反射型ホログラムであることを特徴とする請求項１から８のいずれかに記載の映像表示装置。
【請求項１０】
前記光学デバイスの前記ホログラム光学素子は、前記光変調素子から提供される映像と外界像とを同時に観察者の目に導くコンバイナであることを特徴とする請求項１から９のいずれかに記載の映像表示装置。
【請求項１１】
前記光学デバイスは、前記光変調素子に表示される映像を拡大して観察者の目に虚像として導く接眼光学系を構成していることを特徴とする請求項１から１０のいずれかに記載の映像表示装置。
【請求項１２】
前記接眼光学系は、非軸対称な光学パワーを有していることを特徴とする請求項１１に記載の映像表示装置。
【請求項１３】
前記光学デバイスの前記透明基材は、前記光変調素子から提供される映像の光を内部で全反射させて前記ホログラム光学素子に導くことを特徴とする請求項１から１２のいずれかに記載の映像表示装置。
【請求項１４】
前記光学デバイスの前記ホログラム光学素子の透過率は、１０％以上であることを特徴とする請求項１から１３のいずれかに記載の映像表示装置。
【請求項１５】
請求項１から１４のいずれかに記載の映像表示装置と、
前記映像表示装置を観察者の眼前で支持する支持手段とを備えていることを特徴とするヘッドマウントディスプレイ。
【発明の詳細な説明】
【技術分野】
【０００１】
本発明は、ホログラム光学素子を透明基材上に形成した光学デバイスを用いた映像表示装置と、その映像表示装置を用いたヘッドマウントディスプレイとに関するものである。
【背景技術】
【０００２】
ホログラム、ハーフミラーコート、ビームスプリッタ層などの光学素子は、透明基材内に埋め込んで（２個の透明基材で挟み込んで）使用すれば、湿度や酸素などの外部環境の影響を受けることがないことから、例えばヘッドアップディスプレイやヘッドマウントディスプレイなどのコンバイナとして有用である。
【０００３】
特に、ホログラムは、高い波長選択性および角度選択性を有しており、上記コンバイナとしては非常に有用である。このホログラムの形成材料となるホログラム感光材料としては、一般的に、フォトポリマー、銀塩材料、重クロム酸ゼラチンなどがある。その中でも、フォトポリマーは、銀塩材料、重クロム酸ゼラチンとは異なり、ドライプロセスで容易に製造可能であり、可視光全域に感度を有することから、ホログラム感光材料として多く用いられている。
【０００４】
ホログラム感光材料としてフォトポリマーを用いたカラーホログラムの作製方法としては、例えば特許文献１および２に開示された方法がある。特許文献１では、ホログラム感光材料の露光感度に応じてＲＧＢの露光量を調整し、表示したい色調に回折効率を調整している。また、特許文献２では、ホログラムの回折効率のピークの波長、高さ（回折効率）、半値幅のいずれか１つ以上を制御することにより、白色の再現性が悪くなるのを防いでいる。
【先行技術文献】
【特許文献】
【０００５】
【特許文献１】特開平７−１６０１８３号公報
【特許文献２】特開２０００−２７６０３６号公報
【発明の概要】
【発明が解決しようとする課題】
【０００６】
ところで、作製されたカラーホログラムに再生用光源からの光を照射することにより得られる光を再生光と称すると、カラーホログラムの再生光の色調（カラーバランス）の調整や上記再生光によって表現される映像の明るさの調整には、カラーホログラムの回折光の波長（回折波長）、回折効率だけでなく、再生用光源の出射光の各波長（例えばＲＧＢ）における光強度を考慮に入れる必要がある。なぜなら、再生用光源としてどのような光源を用いるかによって（再生用光源の出射光が各波長ごとにどのような光強度かによって）、再生光の色調や映像の明るさが変わるからである。したがって、例えば、再生光として白色が得られるように回折効率を調整したと言っても、再生用光源の出射光の各波長ごとの光強度が考慮されていなければ、用いる再生用光源によっては再生光として白色以外の色が得られる場合もあることから、再生光の色調を白色に調整したことにはならない。
【０００７】
この点、上述した特許文献１および２では、再生用光源の各波長ごとの光強度が考慮されずにホログラムの回折効率や露光量が調整されているので、用いる再生用光源によって再生光の色調や映像の明るさが変化することになる。この結果、用いる再生用光源ごとに、カラーバランスが良好で明るい映像を得ることができないという問題が生ずる。
【０００８】
本発明は、上記の問題点を解決するためになされたものであって、その目的は、用いる再生用光源（照明光源）ごとに、カラーバランスが良好で明るい映像を観察できる映像表示装置と、その映像表示装置を備えたヘッドマウントディスプレイとを提供することにある。
【課題を解決するための手段】
【０００９】
本発明の映像表示装置は、互いに異なる波長の光を出射する複数の照明光源と、前記照明光源からの光を映像信号に応じて変調する光変調素子と、前記光変調素子からの光を回折するホログラム光学素子が透明基材上に形成された光学デバイスとを有する映像表示装置であって、前記ホログラム光学素子は、前記複数の照明光源の波長に対応する複数の回折ピーク波長を持ち、前記複数の照明光源のうち、同じ値の電流を流したときに消費電力が最も少ない特性を有する照明光源に対応した回折ピーク波長の回折効率が、他の回折ピーク波長の回折効率よりも低いことを特徴としている。
【００１０】
本発明の映像表示装置において、前記照明光源は、発光ダイオードであってもよい。
【００１１】
本発明の映像表示装置において、前記発光ダイオードは、赤、緑、青の３色の光を発光するものであってもよい。
【００１２】
本発明の映像表示装置において、前記発光ダイオードは、異なる発光波長の発光チップが複数個、１つのパッケージに実装されてなる構成であってもよい。
【００１３】
本発明の映像表示装置において、前記光変調素子は、フィールドシーケンシャル方式で駆動されるものであってもよい。
【００１４】
本発明の映像表示装置において、前記光変調素子は、カラーフィルタを有するものであってもよい。
【００１５】
本発明の映像表示装置において、前記照明光源は、異なる発光波長の発光チップを時分割で順次発光させてもよい。
【００１６】
本発明の映像表示装置において、前記照明光源は、異なる発光波長の発光チップを同時に発光させてもよい。
【００１７】
本発明の映像表示装置において、前記光学デバイスの前記ホログラム光学素子は、体積位相型の反射型ホログラムであってもよい。
【００１８】
本発明の映像表示装置において、前記光学デバイスの前記ホログラム光学素子は、前記光変調素子から提供される映像と外界像とを同時に観察者の目に導くコンバイナであってもよい。
【００１９】
本発明の映像表示装置において、前記光学デバイスは、前記光変調素子に表示される映像を拡大して観察者の目に虚像として導く接眼光学系を構成していてもよい。
【００２０】
本発明の映像表示装置において、前記接眼光学系は、非軸対称な光学パワーを有していてもよい。
【００２１】
本発明の映像表示装置において、前記光学デバイスの前記透明基材は、前記光変調素子から提供される映像の光を内部で全反射させて前記ホログラム光学素子に導いてもよい。
【００２２】
本発明の映像表示装置において、前記光学デバイスの前記ホログラム光学素子の透過率は、１０％以上であってもよい。
【００２３】
本発明のヘッドマウントディスプレイは、上述した本発明の映像表示装置と、前記映像表示装置を観察者の眼前で支持する支持手段とを備えていてもよい。
【発明の効果】
【００２４】
本発明によれば、消費電力が最も小さい照明光源に対応する回折ピーク波長の回折効率が、他の回折ピーク波長の回折効率よりも低く設定されているので、規定された消費電力の総和の範囲内で、上記照明光源に流す電流値を上げてその光量を上げることができる。つまり、極力省電力で明るい光量を得ることができる。しかも、各照明光源に流す電流を調整する際に、例えば再生光が白色となるように各電流を調整し、ＲＧＢの光強度を調整すれば、用いる照明光源ごとにカラーバランスが良好で明るい映像を得ることができる。したがって、本発明によれば、用いる照明光源ごとにカラーバランスが良好で明るい映像を得ることができ、しかもその効果を照明光源の省電力で得ることができる。
【図面の簡単な説明】
【００２５】
【図１】（ａ）は、本発明の実施の一形態に係るヘッドマウントディスプレイに用いられる映像表示装置の接眼光学系の光学素子における異なる波長ごとの回折効率の一例を示すグラフであり、（ｂ）は、再生時に上記光学素子に光を供給する光源の波長と光強度との関係を示すグラフであり、（ｃ）は、上記光学素子における異なる波長ごとの回折効率の他の例を示すグラフである。
【図２】（ａ）は、上記ヘッドマウントディスプレイの概略の構成を示す平面図であり、（ｂ）は、上記ヘッドマウントディスプレイの側面図であり、（ｃ）は、上記ヘッドマウントディスプレイの正面図である。
【図３】（ａ）は、上記ヘッドマウントディスプレイの他の構成を示す平面図であり、（ｂ）は、上記ヘッドマウントディスプレイの側面図であり、（ｃ）は、上記ヘッドマウントディスプレイの正面図である。
【図４】上記映像表示装置の概略の構成を示す断面図である。
【図５】（ａ）は、上記接眼光学系を構成する２種の透明基材のうちの一方の概略の構成を示す平面図であり、（ｂ）は、上記透明基材の正面図であり、（ｃ）は、他方の透明基材の概略の構成を示す平面図であり、（ｄ）は、上記透明基材の正面図であり、（ｅ）は、上記接眼光学系の平面図である。
【図６】上記接眼光学系の製造工程を模式的に示す説明図である。
【図７】上記接眼光学系の製造に用いる露光光学系の概略の構成を示す説明図である。
【図８】ＸＹＺ表色系におけるＸＹ色度座標を示す説明図である。
【図９】（ａ）は、ホログラム感光材料の露光面の平面図であり、（ｂ）（ｃ）（ｄ）は、それぞれ、上記露光面上の長軸方向の位置とその位置におけるＲＧＢの各波長の回折効率との関係のバリエーションを示すグラフである。
【図１０】上記ホログラム感光材料の露光面上の長軸方向の位置とその位置におけるＲＧＢの各波長のレーザー強度との関係の一例を示すグラフである。
【図１１】（ａ）は、上記ホログラム感光材料の露光面の平面図であり、（ｂ）は、上記露光面上の長軸方向の位置とその位置におけるＲＧＢの各波長のレーザー強度との関係の他の例を示すグラフである。
【図１２】上記映像表示装置に用いられる光源の一構成例を示す説明図である。
【図１３】（ａ）は、上記光源の消費電力を考慮せずに回折効率が設定された光学素子における、異なる波長ごとの回折効率の一例を示すグラフである。（ｂ）は、上記光源から出射される光の波長と光強度との関係を示すグラフである。（ｃ）は、上記光源の各発光チップにおける電流と消費電力との関係を示すグラフである。（ｄ）は、上記光源の消費電力を考慮して回折効率が設定された光学素子における、異なる波長ごとの回折効率の一例を示すグラフである。
【図１４】（ａ）は、上記映像表示装置に用いられるＬＣＤの一構成例を示す断面図である。（ｂ）は、上記映像表示装置に用いられるＬＣＤの他の構成例を示す断面図である。
【発明を実施するための形態】
【００２６】
本発明の実施の一形態について、図面に基づいて説明すれば、以下の通りである。
【００２７】
〔１．ヘッドマウントディスプレイについて〕
図２（ａ）は、本実施形態に係るヘッドマウントディスプレイ（以下、ＨＭＤと略称する）の概略の構成を示す平面図であり、図２（ｂ）は、ＨＭＤの側面図であり、図２（ｃ）は、ＨＭＤの正面図である。ＨＭＤは、映像表示装置１と、それを支持する支持手段２とを有しており、全体として、一般の眼鏡から一方（例えば左目用）のレンズを取り除いたような外観となっている。
【００２８】
映像表示装置１は、観察者に外界像をシースルーで観察させるとともに、映像を表示して観察者にそれを虚像として提供するものである。図２（ｃ）で示す映像表示装置１において、眼鏡の右目用レンズに相当する部分は、後述する２つの透明基材２２・２３（図４参照）の貼り合わせによって構成されている。なお、映像表示装置１の詳細な構成については後述する。
【００２９】
支持手段２は、映像表示装置１を観察者の眼前（例えば右目の前）で支持するものであり、ブリッジ３と、フレーム４と、テンプル５と、鼻当て６と、ケーブル７とを有している。なお、フレーム４、テンプル５および鼻当て６は、左右一対設けられているが、これらを左右で区別する場合は、右フレーム４Ｒ、左フレーム４Ｌ、右テンプル５Ｒ、左テンプル５Ｌ、右鼻当て６Ｒ、左鼻当て６Ｌのように表現するものとする。
【００３０】
映像表示装置１の一端は、ブリッジ３に支持されている。このブリッジ３は、映像表示装置１のほかにも左フレーム４Ｌおよび鼻当て６を支持している。左フレーム４Ｌは、左テンプル５Ｌを回動可能に支持している。一方、映像表示装置１の他端は、右フレーム４Ｒに支持されている。右フレーム４Ｒにおいて映像表示装置１の支持側とは反対側端部は、右テンプル５Ｒを回動可能に支持している。ケーブル７は、外部信号（例えば映像信号、制御信号）や電力を映像表示装置１に供給するための配線であり、右フレーム４Ｒおよび右テンプル５Ｒに沿って設けられている。
【００３１】
観察者がＨＭＤを使用するときは、右テンプル５Ｒおよび左テンプル５Ｌを観察者の右側頭部および左側頭部に接触させるとともに、鼻当て６を観察者の鼻に当て、一般の眼鏡をかけるようにＨＭＤを観察者の頭部に装着する。この状態で、映像表示装置１にて映像を表示すると、観察者は、映像表示装置１の映像を虚像として観察することができるとともに、この映像表示装置１を介して外界像をシースルーで観察することができる。
【００３２】
なお、ＨＭＤは、映像表示装置１を１個だけ備えたものには限られない。例えば、図３（ａ）は、ＨＭＤの他の構成を示す平面図であり、図３（ｂ）は、上記ＨＭＤの側面図であり、図３（ｃ）は、上記ＨＭＤの正面図である。これらの図に示すように、ＨＭＤは、観察者の両目の前に配置される２個の映像表示装置１を備えた構成であってもよい。この場合、左目の前に配置される映像表示装置１は、ブリッジ３と左フレーム４Ｌとによってその間で支持される。また、ケーブル７は、両方の映像表示装置１と接続され、ケーブル７を介して外部信号等が両方の映像表示装置１に供給される。
【００３３】
〔２．映像表示装置について〕
次に、上述した映像表示装置１の詳細について説明する。
図４は、映像表示装置１の概略の構成を示す断面図である。映像表示装置１は、映像表示素子１１と、接眼光学系２１とで構成されている。
【００３４】
映像表示素子１１は、光源１２と、一方向拡散板１３と、集光レンズ１４と、ＬＣＤ１５とを有している。なお、光源１２と、一方向拡散板１３と、集光レンズ１４とで、ＬＣＤ１５を照明する照明光学系が構成されている。
【００３５】
光源１２は、中心波長が例えば４６５ｎｍ、５２０ｎｍ、６３５ｎｍとなる３つの波長帯域の光を発するＬＥＤ（発光ダイオード）で構成されている。ＬＥＤは、小型、軽量、安価、省電力という特徴があるので、本実施形態のようなＨＭＤの用途には特に有効である。
【００３６】
また、カラー表示に用いるＬＥＤとしては、「青色ＬＥＤ＋黄色蛍光体」あるいは「紫外ＬＥＤ＋ＲＧＢ蛍光体」からなる白色ＬＥＤ、あるいはＲＧＢの３色独立のＬＥＤ（３色１チップタイプ含む）を用いることができるが、中でも上記後者のＬＥＤを用いることが望ましい。接眼光学系２１における後述する光学素子２４としての反射型ホログラムは、波長選択性が高く、再生に必要な光の波長幅が小さいので、ＲＧＢの３色独立のＬＥＤの方が、ホログラムと波長とのマッチングがよく、光の利用効率が高い。なお、「再生」とは、後述の方法により作製された光学素子２４を種々のデバイスに利用することを言い、光学素子２４自体を製造する「作製」とは異なる概念である。また、再生に必要としない波長の光が少ないので、ゴースト、フレアなどのノイズ光が少なく、映像品位がよい。さらには、光学素子２４からのＲＧＢそれぞれの回折光の半値幅も小さくなるので、表示映像の色再現性がよい（再現可能な色領域が広い）。
【００３７】
一方向拡散板１３は、光源１２からの照明光を拡散させるものであるが、その拡散度は、方向によって異なっている。より詳細には、一方向拡散板１３は、ＨＭＤを観察者が装着したときの左右方向に対応する方向（図４の紙面に垂直な方向）には、入射光を約４０゜拡散させ、ＨＭＤを観察者が装着したときの上下方向（図４の紙面に平行な方向）には、入射光を約２゜拡散させる。
【００３８】
集光レンズ１４は、一方向拡散板１３にて拡散された光を集光するものである。集光レンズ１４は、上記拡散光が効率よく光学瞳Ｅを形成するように配置されている。ＬＣＤ１５は、映像信号に基づいて入射光を変調することにより、映像を表示する表示手段である。なお、ＬＣＤ１５の詳細については後述する。
【００３９】
一方、接眼光学系２１は、２つの透明基材２２・２３と、光学素子２４とを有している。この接眼光学系２１は、透明基材２２・２３の接合面を介して外界像がシースルーで観察される光学デバイスを構成しているとともに、映像表示素子１１に表示される映像を拡大して観察者の目に虚像として導く光学デバイスを構成している。また、接眼光学系２１は、非軸対称な正の光学パワーを有しており、内部に入射した映像光が良好に収差補正される。
【００４０】
透明基材２２・２３は、例えばアクリル系樹脂で構成されており、これらは接着剤で接合されている。このときの透明基材２２は、平行平板の下端部を下端に近くなるほど薄くして楔状にし、その上端部を上端に近くなるほど厚くした形状で構成されている。透明基材２３は、平行平板の上端部を透明基材２２の下端部に沿った形状とすることによって、透明基材２２と一体となって略平行平板となるように構成されている。
【００４１】
例えば、透明基材２２に透明基材２３を接合させない場合、外界像の光が透明基材２２の楔状の下端部を透過するときに屈折するので、透明基材２２を介して観察される外界像に歪みが生じる。しかし、透明基材２２に透明基材２３を接合させて一体的な略平行平板を形成することで、外界像の光が透明基材２２の楔状の下端部を透過するときの屈折を透明基材２３でキャンセルすることができる。その結果、シースルーで観察される外界像に歪みが生じるのを防止することができる。
【００４２】
光学素子２４は、特定の入射角で入射する例えば４６５±１０ｎｍ、５２０±１０ｎｍ、６３５±１０ｎｍの３つの波長帯域の光を回折させる体積位相型の反射型ホログラムで構成されている。光学素子２４は、透明基材２２の下端部の傾斜面に貼り付けられており、この結果、透明基材２２・２３で挟まれている。この光学素子２４の透過率は、１０％以上に設定されている。
【００４３】
光学素子２４の材料となるホログラム感光材料２４ａ（図６参照）としては、フォトポリマー、銀塩材料、重クロム酸ゼラチンなどが挙げられるが、中でもドライプロセスで製造できるフォトポリマーが望ましい。
【００４４】
このような映像表示装置１の構成により、映像表示素子１１の光源１２から出射された光は、一方向拡散板１３にて拡散され、集光レンズ１４にて集光されてＬＣＤ１５に入射する。ＬＣＤ１５に入射した光は、映像信号に基づいて変調され、映像光として出射される。このとき、ＬＣＤ１５には、その映像自体が表示される。
【００４５】
ＬＣＤ１５からの映像光は、接眼光学系２１の透明基材２２の内部にその上端面から入射し、対向する２つの面で複数回全反射されて、光学素子２４に入射する。光学素子２４に入射した光は、反射されて光学瞳Ｅに達する。光学瞳Ｅの位置では、観察者は、ＬＣＤ１５に表示された映像の拡大虚像を観察することができる。光学瞳Ｅから虚像までの距離は数ｍ程度であり、また、虚像の大きさはＬＣＤ１５に表示された映像の１０倍以上である。
【００４６】
一方、透明基材２２・２３および光学素子２４は、外界からの光をほとんど全て透過させるので、観察者は外界像を観察することができる。したがって、ＬＣＤ１５に表示された映像の虚像は、外界像の一部に重なって観察されることになる。以上のことから、光学素子２４は、映像表示素子１１から提供される映像と外界像とを同時に観察者の目に導くコンバイナとして機能していると言える。
【００４７】
以上のように、映像表示装置１では、ＬＣＤ１５から出射される映像光を、透明基材２２内での全反射によって光学素子２４に導く構成としている。これにより、映像表示素子１１を観察者の眼の直前から大きく離れた位置に配置することができ、観察者の外界に対する視野を広く確保することができる。また、通常の眼鏡レンズと同様に透明基材２２・２３の厚さを３ｍｍ程度にすることができ、映像表示装置１を小型化、軽量化することができる。
【００４８】
また、光学素子２４は、上述したように特定入射角の特定波長の光のみを回折させるので、透明基材２２・２３および光学素子２４を透過する外界像の光に影響を与えることがない。それゆえ、観察者は、透明基材２２・２３および光学素子２４を介して外界像を通常通り観察することができる。また、光学素子２４の透過率は、１０％以上に設定されているので、観察者は透明基材２２・２３および光学素子２４を介して外界像を十分に観察することができる。
【００４９】
〔３．透明基材について〕
次に、透明基材２２・２３の詳細について説明する。
図５（ａ）は、透明基材２２（第１の透明基材）の平面図を示し、図５（ｂ）は、透明基材２２の正面図を示している。また、図５（ｃ）は、透明基材２３（第２の透明基材）の平面図を示し、図５（ｄ）は、透明基材２３の正面図を示している。さらに、図５（ｅ）は、透明基材２２・２３を接合させた接眼光学系２１の平面図を示している。
【００５０】
透明基材２２は、全体として略四角錐台の形状をしており、その上面および下面は、４つの側面で連結されている。この４つの側面は、図５（ａ）の平面図において、上面を中心として反時計回りに配置される面２２ａ・２２ｂ・２２ｃ・２２ｄで構成されている。これらの面２２ａ・２２ｂ・２２ｃ・２２ｄは、その法線方向が互いに異なっている。また、これらのうちの一側面（例えば面２２ｄ）には、上記上面よりも上方に突出する突出部２２ｅが形成されている。また、光学素子２４は、透明基材２２の例えば面２２ｂに貼り付けられている。
【００５１】
一方、透明基材２３は、透明基材２２が接合することで平行平板が形成されるような形状となっている。つまり、透明基材２３は、平行平板から透明基材２２の形状をくり抜いた形状をしている。ここで、透明基材２３において、透明基材２２と接合したときに、透明基材２２の面２２ａ・２２ｂ・２２ｃと対向する面を、それぞれ２３ａ・２３ｂ・２３ｃと称することにする。これらの面２３ａ・２３ｂ・２３ｃは、その法線方向が互いに異なっている。
【００５２】
このように光学素子２４を貼り付けた一方の透明基材２２に他方の透明基材２３を、光学素子２４を挟むように接着剤を介して接合することにより、図５（ｅ）に示すように、接眼光学系２１が形成される。この接眼光学系２１は、平面視で眼鏡のレンズのような形状をしている。この接眼光学系２１を用いることにより、透明基材２２・２３の接合面（面２２ａ・２２ｂ・２２ｃ、面２３ａ・２３ｂ・２３ｃ）を介して、シースルーで外界像を観察することが可能となる。
【００５３】
〔４．接眼光学系の製造方法について〕
次に、光学デバイスとしての接眼光学系２１の製造方法について説明する。
接眼光学系２１の製造工程は、貼付工程、露光工程、定着工程、ベイク（熱処理）工程、接合工程の５つの工程からなっている。なお、これらの工程による接眼光学系２１の製造（光学素子２４の製造）を「作製」と称するとき、作製された光学素子２４を種々のデバイスに利用する場合を「再生」と称し、これら両者を区別する。以下、上記製造工程の詳細について、図６に基づいて説明する。
【００５４】
まず、再生時に使用する一方の透明基材２２上に、例えばフォトポリマーからなるホログラム感光材料２４ａを貼り付ける（貼付工程）。そして、レーザー光の２光束干渉により、透明基材２２上のホログラム感光材料２４ａを露光する（露光工程）。なお、貼付工程および露光工程では、透明基材２２に傷をつけないようにするため、透明基材２２をホルダーに保持し、そのホルダーをハンドリングして製造光学系４６（図７参照）にセットする。また、製造光学系４６では、上記のホルダーをエア吸着するとともに、ホルダーに保持したプリズムも同時にエア吸着するとよい。
【００５５】
続いて、ホログラム感光材料２４ａに紫外線を照射することによって、ホログラム感光材料２４ａを定着させる（定着工程）。その後、透明基材２２上に貼り付けられたホログラム感光材料２４ａをベイクし、回折効率の高いホログラム（光学素子２４）を形成する（ベイク工程）。そして、最後に、一方の透明基材２２と他方の透明基材２３との接合面に光硬化型接着剤である紫外線硬化型接着剤を塗布し、上記紫外線硬化型接着剤に紫外線を照射してこれを硬化させることにより、両透明基材２２・２３をホログラム感光材料２４ａ（光学素子２４）を挟むように接合する（接合工程）。これにより、接眼光学系２１が完成する。
【００５６】
なお、上記のベイク処理により、ホログラムの回折効率が上がる理由は、以下の通りである。ホログラム感光材料２４ａを露光すると、干渉縞ができて、ホログラムに屈折率の高い部分と低い部分とが形成される。しかし、ホログラム感光材料２４ａとしてのフォトポリマーは重合性材料であり、このような露光だけでは屈折率の高い部分と低い部分とにおける屈折率の差が小さい。そこで、ベイク処理によりホログラム感光材料２４ａに熱を加えると、ホログラム感光材料２４ａにおける未反応のモノマーなどが熱で拡散され、疎密の差が激しくなる。これにより、ホログラムにおける屈折率の差が広がり、回折効率が上がるようになる。
【００５７】
なお、ベイク工程は、接合工程の後に行うことも可能であるが、この場合、接合後の未硬化の接着剤がベイクによりホログラム層に悪影響を与えることが懸念される。そのため、本実施形態のように、接合前にベイクを完了させる方が望ましい。
【００５８】
また、ホログラム感光材料２４ａとしては、複数の波長に感度を有する感光層が１層のものを用いてもよいし、単独の波長に感度を有する層を複数有するものを用いてもよい。さらに、露光工程での露光は、複数の波長（ＲＧＢ）のレーザ光の照射開始時間を同時に揃えて行ってもよいし、それぞれの波長における照射開始時間に時間差を設けて行ってもよい。用いるホログラム感光材料２４ａの種類と露光方法との組み合わせとしては、例えば以下のようなものがあるが、これ以外の組み合わせも勿論可能である。
「ＲＧＢ感光層１層」＋「照射開始時間を同時で露光」
「ＲＧＢ感光層１層」＋「照射開始時間をずらして露光」
「Ｒ感光層＋Ｇ感光層＋Ｂ感光層の３層」＋「照射開始時間を同時で露光」
「Ｒ感光層＋Ｇ感光層＋Ｂ感光層の３層」＋「照射開始時間をずらして露光」
「Ｒ感光層＋ＧＢ感光層の２層」＋「照射開始時間を同時で露光」
「Ｒ感光層＋ＧＢ感光層の２層」＋「照射開始時間をずらして露光」
「ＲＧＢ感光層＋Ｒ感光層の２層」＋「照射開始時間を同時で露光」
「ＲＧＢ感光層＋Ｒ感光層の２層」＋「照射開始時間をずらして露光」
【００５９】
ここで、「ＲＧＢ感光層１層」を用いた場合は、感光層１層で複数の波長のホログラムを記録することができるため、構成が簡便で、ホログラムの作製が容易である。また、「Ｒ感光層＋Ｇ感光層＋Ｂ感光層の３層」を用いた場合は、各層は１つの波長のホログラムのみを記録するので、層内での各色の相互作用がなく、高い回折効率が得やすい。
【００６０】
また、「Ｒ感光層＋ＧＢ感光層の２層（Ｂ感光層＋ＲＧ感光層，Ｇ感光層＋ＲＢ感光層などの組み合わせも含む）」は、各波長別の層を用いる場合よりも簡便であり、かつ、１つの層に記録するホログラム干渉縞が少ないので、回折効率を高くしやすい。さらには、「ＲＧＢ感光層＋Ｒ感光層の２層」（ＲＧＢ＋Ｇ，ＲＧＢ＋Ｂなどの組み合わせも含む）のように、複数の波長のホログラムを記録できる層にさらに重複した色の感光層１層を加えることにより、追加した層の波長のみ、その回折効率を高めることができる。
【００６１】
〔５．露光光学系について〕
次に、上記露光工程における露光光学系について、図７に基づいて説明する。図７は、本実施形態における露光光学系の概略の構成を示す説明図である。
【００６２】
上記露光光学系は、光源３１と、ビームステアラー３２と、シャッター３３と、ビームエキスパンダー３４と、ミラー３５と、ダイクロイックミラー３６・３７と、ミラー３８と、ビームスプリッター３９と、ミラー４０・４１・４２・４３と、スペイシャルフィルター４４・４５と、製造光学系４６とで構成されている。なお、露光光学系におけるミラーの枚数は、上記に限定されるわけではなく、必要に応じた枚数だけミラーを設ければよい。
【００６３】
光源３１は、透明基材２２上に光学素子２４を形成すべく、透明基材２２上のホログラム感光材料２４ａを露光するためのレーザー光を出射する作製用光源であり、Ｒ（赤）、Ｇ（緑）、Ｂ（青）の各色のレーザー光を出射する光源３１Ｒ・３１Ｇ・３１Ｂで構成されている。
【００６４】
ここで、ＲＧＢの３本のレーザー光としては、以下のものを用いることができる。例えば、Ｒのレーザー光としては、クリプトンイオンレーザーやヘリウムネオンレーザーを用いることができ、Ｇのレーザー光としては、Ｎｄ：ＹＡＧ（ＳＨＧ）、Ｎｄ：ＹＶＯ４（ＳＨＧ）などの固体レーザーや色素レーザーを用いることができ、Ｂのレーザー光としては、アルゴンイオンレーザーやサファイアなどの固体レーザーを用いることができる。
【００６５】
ビームステアラー３２は、ＲＧＢに対応するビームステアラー３２Ｒ・３２Ｇ・３２Ｂで構成されている。ビームステアラー３２Ｒ・３２Ｇ・３２Ｂは、それぞれミラー２枚の組み合わせからなり、光源３１Ｒ・３１Ｇ・３１Ｂから出射される各色のレーザー光を２枚のミラーで反射させ、それらの高さを揃えて出射する。
【００６６】
シャッター３３は、ＲＧＢに対応するシャッター３３Ｒ・３３Ｇ・３３Ｂで構成されている。シャッター３３Ｒ・３３Ｇ・３３Ｂは、それぞれ、ビームステアラー３２Ｒ・３２Ｇ・３２Ｂを介して得られるＲＧＢのレーザー光の透過をＯＮ／ＯＦＦ制御することにより、ＲＧＢのレーザー光のホログラム感光材料２４ａへの露光量を調整する露光量調整手段として機能する。
【００６７】
ビームエキスパンダー３４は、ＲＧＢに対応するビームエキスパンダー３４Ｒ・３４Ｇ・３４Ｂで構成されており、ＲＧＢの各レーザー光の光束径を広げる機能と、ＮＡ（開口率）を変化させる機能とを持っている。このようなビームエキスパンダー３４でのＲＧＢのレーザー光の調整により、ＲＧＢの各レーザー光のガウシアン的な強度分布をほぼ一致させることができる。ビームエキスパンダー３４は、光源３１から出射されるＲＧＢの各レーザー光のビームウエストの位置と製造光学系４６との間に設けられている。
【００６８】
ミラー３５は、ビームエキスパンダー３４Ｂから出射されるＢのレーザー光をダイクロイックミラー３６の方向へ反射させる。ダイクロイックミラー３６は、ビームエキスパンダー３４Ｇから出射されるＧのレーザー光をダイクロイックミラー３７の方向へ反射させる一方、ミラー３５にて反射されたＢのレーザー光をダイクロイックミラー３７の方向へ透過させる。したがって、ダイクロイックミラー３６では、ＧとＢのレーザー光が色合成されて出射される。
【００６９】
ダイクロイックミラー３７は、ビームエキスパンダー３４Ｒから出射されるＲのレーザー光をミラー３８の方向へ反射させる一方、ダイクロイックミラー３６を介して得られるＧおよびＢのレーザー光をミラー３８の方向に透過させる。したがって、ダイクロイックミラー３７では、ＲとＧとＢのレーザー光が色合成されて出射される。ミラー３８は、ダイクロイックミラー３７を介して得られるＲＧＢのレーザー光をビームスプリッター３９の方向へ反射させる。
【００７０】
ビームスプリッター３９は、入射するＲＧＢのレーザー光を２つの光路に分ける。ビームスプリッター３９としては、例えばクロムや多層膜がコートされた透過反射ミラー（ハーフミラー）や偏光ビームスプリッターなどを用いることができる。ビームスプリッター３９での２光束の分岐比は、製造光学系４６内に配置されるホログラム感光材料２４ａの露光面での２光束の光量がほぼ等しくなるように設定される。
【００７１】
なお、ビームスプリッター３９では、複数の波長のレーザー光をほぼ同じ分岐比で分岐するのが望ましい。所望の反射・透過比のクロムや多層膜がコートされた透過反射ミラーを用いれば、複数の波長のレーザー光をほぼ同じ分岐比で分岐するビームスプリッター３９を容易に得ることができる。
【００７２】
ミラー４０・４１は、ビームスプリッター３９と製造光学系４６との間の２つの光路の一方に設けられ、ビームスプリッター３９から供給されるＲＧＢのレーザー光を順に反射させてスペイシャルフィルタ４４に導く。また、ミラー４２・４３は、ビームスプリッター３９と製造光学系４６との間の２つの光路の他方に設けられ、ビームスプリッター３９から供給されるＲＧＢのレーザー光を順に反射させてスペイシャルフィルタ４５に導く。
【００７３】
スペイシャルフィルタ４４・４５は、それぞれ（対物）レンズとピンホールとの組み合わせからなり、入射するレーザー光を上記レンズで集光し、ピンホールを介して製造光学系４６に出射する。製造光学系４６は、作製される光学デバイスに応じた露光光路が形成されるようなレンズ、プリズム、ミラー等の組み合わせからなり、この製造光学系４６から最終的に透明基材２２上のホログラム感光材料２４ａにＲＧＢのレーザー光が照射される。
【００７４】
上記の構成において、光源３１Ｂから出射されるＢのレーザー光は、ビームステアラー３２Ｂ、シャッター３３Ｂ、ビームエキスパンダー３４Ｂを順に透過した後、ミラー３５を介してダイクロイックミラー３６に入射する。また、光源３１Ｇから出射されるＧのレーザー光は、ビームステアラー３２Ｇ、シャッター３３Ｇ、ビームエキスパンダー３４Ｇを順に透過した後、ダイクロイックミラー３６にて、Ｂのレーザー光と色合成され、その後ダイクロイックミラー３７に入射する。また、光源３１Ｒから出射されるＲのレーザー光は、ビームステアラー３２Ｒ、シャッター３３Ｒ、ビームエキスパンダー３４Ｒを順に透過した後、ダイクロイックミラー３７にて、ＧおよびＢのレーザー光と色合成され、その後ミラー３８に入射する。
【００７５】
ミラー３８に入射したＲＧＢのレーザー光は、そこで反射されてビームスプリッター３９に入射し、２つの光路に分離される。一方の光路では、ビームスプリッター３９から出射されるＲＧＢのレーザー光は、ミラー４０・４１にて順に反射された後、スペイシャルフィルタ４４を介して製造光学系４６に出射される。他方の光路では、ビームスプリッター３９から出射されるＲＧＢのレーザー光は、ミラー４２・４３にて順に反射された後、スペイシャルフィルタ４５を介して製造光学系４６に出射される。製造光学系４６では、ＲＧＢの２光路のレーザー光で所望の露光光線を作製し、得られた２光束を透明基材２２上のホログラム感光材料２４ａ内で干渉させ、ホログラムからなる光学素子２４を作製する。
【００７６】
なお、図７では、シャッター３３およびビームエキスパンダー３４は、ＲＧＢ３本のレーザ光路上に独立して配置されているが、ダイクロイックミラー３６・３７でＲＧＢのレーザー光を１本に束ねた後に、ＲＧＢに共通で１組だけ設けられてもよい。また、ＲＧＢのレーザー光の偏光方向を光学台に対して水平（ｐ偏光）または垂直（ｓ偏光）にすれば、ミラーによる反射などでレーザー光の偏光方向が回転しないのでよい。
【００７７】
〔６．露光方法について〕
次に、上記露光光学系におけるホログラム感光材料２４ａの露光方法について、以下に説明する。
【００７８】
再生時に光学素子２４から出射される光（再生光）の波長（再生波長）は、作製時にホログラム感光材料２４ａを露光するレーザー光の波長により決定される。したがって、再生時に単色の再生光を得るためには、作製時に最低１色以上のレーザー光でホログラム感光材料２４ａを露光する必要がある。また、再生時にカラーの再生光を得るためには、作製時にカラーに対応した複数波長のレーザー光でホログラム感光材料２４ａを露光する必要がある。映像鑑賞という観点では、カラーが望ましく、それゆえ、本実施形態では、作製時に赤（Ｒ）、緑（Ｇ）、青（Ｂ）の各色に対応した３つの波長のレーザー光でホログラム感光材料２４ａを露光することにより、再生時にカラーの映像（再生像）が得られるようにしている。
【００７９】
ここで、良好なカラー表示を得るには、各色（例えばＲＧＢ）の明るさのカラーバランスを取る必要がある。仮に、ＲＧＢ３色の回折効率が最大となる回折ピークを持つ光学素子２４において、ＲＧＢ３色の回折ピークでの回折効率が全てほぼ１００％の光学素子２４を作製できれば、カラーバランスは各色の光源強度を調整することで、明るいカラー表示が得られる。なお、回折効率とは、入射光のエネルギーのうち、回折光としてどの程度のエネルギーを取り出せるかを示す値であり、一般的には、入射光の強度とある次数の回折光の強度との比を百分率で示したものがこれにあたる。このとき、単色の回折ピークを持つ光学素子では、回折効率が１００％に近いホログラムを作製するのは比較的容易である。
【００８０】
しかし、複数の波長について回折ピークを持つカラーホログラムとしての光学素子２４では、一般にホログラム感光材料２４ａが複数の波長の光に感度を有しているため、互いに影響しあい、全ての波長の回折効率を１００％に近づけることは実際上難しい。複数の波長についての回折効率は、それぞれ概ねトレードオフの関係があり、ある波長の回折効率が高くなるよう露光すると、別の波長の回折効率は低くなりやすい。
【００８１】
一方、映像の明るさは、単純には、各色の「回折効率×回折光の波長（回折波長）での照明光強度」の和で表され、映像のカラーバランスは、この各色の「回折効率×回折波長での照明光強度」の値を、良好な白表示となるようある一定の比率に調整することにより達成される。この比率は回折波長により異なるある一定値を取る。
【００８２】
上述のように、複数の回折波長を持つカラーホログラムでは、全ての波長についての回折効率を１００％に近づけることは難しく、トレードオフの関係がある。したがって、最も明るくかつカラーバランスの取れたカラー表示を得るためには、光学素子２４における各回折ピーク波長（Ｒ１Ｇ１Ｂ１）での回折効率が、再生用光源（光源１２）の出射光における各回折ピーク波長（Ｒ１Ｇ１Ｂ１）での光強度に応じた回折効率となるように、作製用光源（光源３１）から出射される各波長（Ｒ２Ｇ２Ｂ２）のレーザー光の露光量を調整すればよい。
【００８３】
例えば、図１（ａ）に示すように、ＲＧＢの３色についての回折効率がほぼ等しい光学素子２４が作製されているとすると、この光学素子２４を図１（ｂ）の照明光源（再生用光源である光源１２）でほぼ最大光量で照明すると、白色表示を得るにはＧおよびＲの光の強度が足りなくなる。そこで、本実施形態では、再生用光源のＧおよびＲの光強度を考慮して、図１（ｃ）のように、光学素子２４でのＧおよびＲの光の回折効率がＢの光の回折効率よりも高くなるように（Ｒの光の回折効率については、Ｇの光の回折効率よりもさらに高くなるように）、ホログラム感光材料２４ａを露光するＲＧＢのレーザー光の露光量をシャッター３３にて調整し、調整した露光量でホログラム感光材料２４ａを露光し、光学素子２４を作製する。
【００８４】
なお、図１（ｂ）における曲線ｒｇｂは、それぞれＲＧＢの各光強度を示し、曲線Ｌは、ＲＧＢの各光強度を総合した結果を示しているが、これらの光強度は、例えばＢの光強度に対する相対値としている。
【００８５】
このように、本実施形態では、再生用光源ではほぼ最大光量で照明し、その照明光の各ＲＧＢの回折ピーク波長での光強度を考慮して、それぞれの回折ピーク波長での回折効率を決定し、その設定した回折効率になるよう各色のレーザー光の露光量を調整している。これにより、再生用光源の光強度が大きいほうからＢＧＲの順になっていても（図１（ｂ）参照）、光学素子２４での回折効率が小さいほうからＢＧＲの順に大きくなるように光学素子２４を作製することができる（図１（ｃ）参照）。つまり、再生用光源において光強度の足りない分を、光学素子２４での他の波長よりも高い回折効率で補うことができる。したがって、再生用光源から光学素子２４を介して得られる光（再生光）の色調を、用いる再生用光源の出射光の光量を最大限に利用しながら、用いる再生用光源ごとに所望の色調に調整することができる。その結果、用いる再生用光源ごとにカラーバランスが良好で明るい映像を得ることができる。
【００８６】
特に、光学素子２４における各回折ピーク波長での回折効率が、再生用光源から光学素子２４を介して得られる再生光が白色となる回折効率となるように、作製用光源から出射される各波長のレーザー光の露光量を調整すれば、光学素子２４を介してカラーバランスの良好なカラー映像を確実に得ることができる。
【００８７】
このとき、光学素子２４における各回折ピーク波長での回折効率が、再生用光源にて光強度が定格光量の７０％以上となる光を発光させて光学素子２４に供給したときに、光学素子２４から出射される再生光が白色となる回折効率となるように、作製用光源から出射される各波長のレーザー光の露光量を調整することが望ましい。この場合、再生用光源では、定格光量の７０％以上の光強度となる光を発光させているので、光学素子２４を介して得られるカラー映像として、カラーバランスが良好でかつ明るいカラー映像を実現することができる。
【００８８】
なお、このような映像の明るさおよび再生用光源の光の効率的な利用を考えると、図１（ｃ）に示すように、回折効率がピークとなる各波長（ＲＧＢ）の回折効率のうち、最大の回折効率が７０％以上となるように、光学素子２４を作製すればよい。
【００８９】
なお、以上のことから、本実施形態では、光学素子２４における各回折ピーク波長（ＲＧＢ）での回折効率が、再生用光源の出射光における光強度が降順となる波長の順番（図１（ｂ）ではＢＧＲの順）で増大するように、上記作製用光源から出射される各波長のレーザー光の露光量を調整しているとも言うことができる。
【００９０】
また、図８は、ＸＹＺ表色系におけるＸＹ色度座標を示している。上述のように、明るいカラー表示を得るためには、再生用光源をほぼ最大光量（定格光量の７０％以上）で照明したときに、光学素子２４での再生光が白色になるように露光量を調整すればよく、再生用光源の照明光は肉眼で見て白色でなくてもよい。このとき、再生光の色が、図８のＸＹ色度座標で、（Ｘ，Ｙ）＝（０．３２±０．０５，０．３３±０．０５）の範囲内にあるような色（図８のＷ点付近の色）であれば、人間がその再生光を見たときに実質的に白色と感じる。したがって、ＸＹ色度座標でＸ、Ｙが上記範囲内となるような色の再生光が得られるように、ＲＧＢの各露光量を調整し、光学素子２４を作製すれば、作製された光学素子２４を用いて、カラーバランスが良好でかつ明るいカラー映像を確実に得ることができる。
【００９１】
また、本実施形態では、再生用光源である光源１２としてＬＥＤを用いており、光源１２にて赤（Ｒ）、緑（Ｇ）、青（Ｂ）ごとに独立して光を発光させているので、光源１２での各色ごとの光強度を考慮して光学デバイスを製造することが容易となる。
【００９２】
〔７．露光面上での回折効率の分布について〕
次に、ホログラム感光材料２４ａの露光面上での回折効率の分布について、以下に説明する。
【００９３】
光学素子２４を介してカラー表示を得るためには、ホログラム感光材料２４ａの同一露光面上に複数の波長（ＲＧＢ）の干渉縞を記録すればよいことは上述の通りである。このとき、再生時に、観察者が瞳位置によらず、画面全体に色むらのない表示を常に得るためには、上述のように、再生用光源の光源強度を考慮して各色（ＲＧＢ）の回折効率を設定することに加えて、ホログラム感光材料２４ａの露光面上において、どの１点をとっても、記録された複数の干渉縞の各色（ＲＧＢ）の回折効率の比が一定となるように露光すればよい。
【００９４】
ここで、図９（ａ）は、ホログラム感光材料２４ａの露光面の平面図を示し、図９（ｂ）（ｃ）（ｄ）は、それぞれ、上記露光面上の長軸方向の位置とその位置におけるＲＧＢの各波長の回折効率との関係を示している。なお、上記露光面上の長軸方向とは、露光面が長方形であれば、その長辺方向を指し、露光面が円であれば、任意の直径に沿った方向を指し、露光面が楕円であれば、その長軸方向を指す。
【００９５】
理想的には、図９（ｂ）のように、各色（ＲＧＢ）のそれぞれが、ホログラム感光材料２４ａの露光面全面において同一の回折効率を示せば、必然的に露光面上のどの点においても各色の回折効率の比（Ｒ：Ｇ：Ｂ）は一定となり、画面内および瞳位置による色むらは発生しない。
【００９６】
しかし、実際には、ホログラム露光に用いるＲＧＢのレーザー光は、レーザー出射部周辺ではほぼガウシアン的な強度分布になっているため、露光面上においてもそれに起因する強度分布を持つ。つまり、ＲＧＢの各色のレーザー光がガウシアン的な強度分布を有していることにより、ホログラム感光材料２４ａの露光面上の各点における回折効率も、レーザー光の強度分布とは全く同じではないが上記強度分布を反映した同傾向の分布を持つ。
【００９７】
このため、露光されたホログラム感光材料２４ａの露光面上では、図９（ｃ）（ｄ）のように回折効率の変化の仕方がＲＧＢ間で異なるような回折効率の分布が得られる。このとき、図９（ｃ）のように、露光面上の異なる２点（例えば位置ＰとＱ）のそれぞれにおけるＲＧＢの回折効率の比（Ｒ：Ｇ：Ｂ）が異なっていると、画面内および瞳位置による色むらが発生する。図９（ｃ）の例では、露光面上の中央の位置Ｑを介して得られる再生光が白色であったとすると、左側の位置Ｐでは位置ＱよりもＲの回折効率が高いため、赤っぽい映像が得られる。
【００９８】
したがって、この場合、図９（ｄ）に示すように、画面全体での各点において、ＲＧＢの回折効率の絶対値は異なっても構わないが、各色の回折効率の比がほぼ一定になるように（ＲＧＢごとの露光強度比がほぼ一定となるように）、ＲＧＢのレーザー光を調整して露光すればよい。これは、人間は色の違いはわずかな量であっても容易に識別可能であるが、明るさのわずかな違いは識別しにくいという特性を利用している。なお、ＲＧＢのレーザー光の調整は、例えばシャッター３３での露光量の調整や、ビームエキスパンダー３４でのビーム径およびＮＡの調整により行うことが可能である。
【００９９】
このように、ホログラム感光材料２４ａの露光面上のどの位置においても、作製用光源である光源３１から照射されるレーザー光の強度の各波長（ＲＧＢ）ごとの比が略一定となるように、上記各波長のレーザー光を調整することにより、作製された光学素子２４においては、ＲＧＢの回折効率の比がどの位置でも略一定となる。これにより、光学素子２４を介して得られるカラー映像における全体の色むらを低減することができる。
【０１００】
このとき、実用上、ホログラム感光材料２４ａの露光面全領域において、回折効率比を完全に一定にすることは難しいか、本発明で目的とした色むらをなくす効果を得るためには、露光面上の各位置における各色のレーザー強度比の差は、露光面上全ての位置で３０％以内にすればよい。つまり、光源３１からホログラム感光材料２４ａの露光面上の第１の位置（例えば位置Ｐ）に照射されるＲＧＢのレーザー光の強度をそれぞれＲ１、Ｇ１、Ｂ１とし、上記露光面上の第２の位置（例えば位置Ｑ）に照射されるＲＧＢのレーザー光の強度をそれぞれＲ２、Ｇ２、Ｂ２とすると、位置ＰおよびＱとして上記露光面上のどの位置を選択しても、
｜（Ｒ１／Ｇ１）−（Ｒ２／Ｇ２）｜≦０．３×（Ｒ１／Ｇ１）、かつ、
｜（Ｂ１／Ｇ１）−（Ｂ２／Ｇ２）｜≦０．３×（Ｂ１／Ｇ１）
が成り立つように、ＲＧＢの各レーザー光を調整すればよい。これにより、ＲＧＢの各色とも、作製される光学素子２４の場所による回折効率の差を約２０％以下に抑えることができ、実質上、光学素子２４における場所ごとの色の違いを問題にならない程度に抑えることができる。
【０１０１】
ところで、ＲＧＢのレーザー光のホログラム感光材料２４ａへの実際の露光時には、ホログラム感光材料２４ａの露光面の全領域でＲＧＢのレーザー強度比の差が３０％以内に収まっているかを測定するには手間がかかる。そこで、図１０に示すように、上記露光面上でのＲＧＢの各色の最もレーザー強度の強い点Ｒｍ、Ｇｍ、Ｂｍを測定し、これらの点Ｒｍ、Ｇｍ、Ｂｍ間の位置ずれ量が、上記露光面の長軸方向の長さの１／２以下になるように、ＲＧＢのレーザー光を調整してもよい。
【０１０２】
つまり、ホログラム感光材料２４ａの露光面上で、作製用光源としての光源３１から照射される各波長（ＲＧＢ）のレーザー光の強度が最大となる各位置（Ｒｍ、Ｇｍ、Ｂｍ）についての各波長間での位置ずれ量（Δ１＝｜Ｒｍ−Ｇｍ｜、Δ２＝｜Ｇｍ−Ｂｍ｜、Δ３＝｜Ｂｍ−Ｒｍ｜の値）が、上記露光面における長軸方向の長さの１／２以下となるように、上記各波長のレーザー光を調整してもよい。これにより、作製された光学素子２４の面上のどの位置においても、各波長間での回折効率の差を約２０％以内に容易にかつ効率的に収めることができる。これにより、光学素子２４を介して得られるカラー映像における全体の色むらを、実質的に問題にならない程度まで容易にかつ効率的に低減することができる。
【０１０３】
また、図１１（ａ）は、ホログラム感光材料２４ａの露光面の平面図を示し、図１１（ｂ）は、上記露光面上の長軸方向の位置とその位置におけるＲＧＢの各波長のレーザー光の強度との関係を示している。ホログラム感光材料２４ａの露光面の長軸方向の両端の２点の位置をＰおよびＱとすると、作製用光源としての光源３１から照射される各波長（ＲＧＢ）のレーザー光の強度が、位置ＰおよびＱにおいて各波長ごとに略同一となるように、各波長のレーザー光を調整してもよい。つまり、位置ＰにおけるＲＧＢのレーザー光の強度をＲｐ、Ｇｐ、Ｂｐとし、位置ＱにおけるＲＧＢのレーザー光の強度をＲｑ、Ｇｑ、Ｂｑとすると、Ｒｐ≒Ｒｑ、Ｇｐ≒Ｇｑ、Ｂｐ≒Ｂｑとなるように、ＲＧＢのレーザー光を調整してもよい。この場合は、さらに簡易的に色むらをなくすことができる。
【０１０４】
ところで、人間は、色の違いを識別する場合に比べて、明るさの違いを識別しにくいが、ホログラム感光材料２４ａの露光面上の各位置にて、ＲＧＢごとにレーザー光の絶対強度の差があまりにも大きいと、それは、観察瞳位置にて明るさの差として識別されてしまう場合がある。
【０１０５】
そこで、ホログラム感光材料２４ａの露光面上で、作製用光源としての光源３１から照射される各波長（ＲＧＢ）のレーザー光の絶対強度が最大となる位置と、上記絶対強度が最小となる位置との間での絶対強度の差が、各波長ごとにその最大絶対強度の５０％以下となるように、上記各波長のレーザー光を調整するようにしてもよい。この場合、光学素子２４でのＲＧＢごとの回折効率の差、すなわち実際の明るさの差が小さくなるので、色むらだけでなく輝度むらをも改善することができる。
【０１０６】
〔８．光源の消費電力を考慮した回折効率の設定について〕
ところで、光源１２の消費電力を考慮して光学素子２４の回折効率を設定することによっても、用いる光源１２ごとにカラーバランスが良好で明るい映像を得ることができ、さらには、その効果を光源１２の省電力で得ることができる。以下、光源１２の消費電力を考慮した光学素子２４の回折効率の設定について説明する。
【０１０７】
なお、ここでは、光源１２として、図１２に示すように、各発光チップ１２Ｒ・１２Ｇ・１２Ｂを基板１２ａ上に実装した１パッケージの発光ダイオードで構成されたものを用いるものとする。なお、発光チップ１２Ｒ・１２Ｇ・１２Ｂは、各回折ピーク波長（Ｒ１Ｇ１Ｂ１）に対応した照明光源である。
【０１０８】
例えば、図１３（ａ）に示すように、ＲＧＢの３色の各回折ピーク波長（Ｒ１Ｇ１Ｂ１）での回折効率がほぼ等しい光学素子２４が作製されているとし、この光学素子２４が図１２の光源１２で照明されるものとする。光源１２の強度分布は、例えば図１３（ｂ）のようになっており、ＲＧＢの各発光チップ１２Ｒ・１２Ｇ・１２Ｂからの光が、それぞれ対応するＲＧＢのホログラムで回折され、映像光となる。
【０１０９】
一般に、ＲＧＢの各発光チップを有する光源では、それぞれに対して流すことができる電流の上限値（定格電流値）が設定されている。しかし、図１２の光源１２のような、複数の発光チップ１２Ｒ・１２Ｇ・１２Ｂが１つのパッケージに実装された１チップタイプを用い、これらに同時に電流を流す場合、各発光チップ１２Ｒ・１２Ｇ・１２Ｂの発光時の放熱の都合上、全ての発光チップ１２Ｒ・１２Ｇ・１２Ｂに定格電流上限の電流を流すことができず、各発光チップ１２Ｒ・１２Ｇ・１２Ｂのそれぞれが消費する消費電力の和に上限が設けられている。
【０１１０】
このため、実際に使用する際には、各発光チップ１２Ｒ・１２Ｇ・１２Ｂの消費電力の和が上限を超えないように、各発光チップ１２Ｒ・１２Ｇ・１２Ｂに同時に流す電流値を抑える必要がある。各発光チップ１２Ｒ・１２Ｇ・１２Ｂに多くの電流を流せばより明るい映像を得ることができるので、限られた消費電力内で多くの電流を流すには、同じ電流値を流した時の消費電力の小さい色の発光チップに多くの電流を流すのがよい。
【０１１１】
そこで、本実施形態では、図１３（ｃ）に示すように、各発光チップ１２Ｒ・１２Ｇ・１２Ｂに同じ電流値を流したときの消費電力が、大きいほうから１２Ｂ、１２Ｇ、１２Ｒの順に小さくなっている場合には、図１３（ｄ）に示すように、消費電力が最も少ない発光チップ１２Ｒに対応する回折ピーク波長Ｒ１の回折効率が、他の回折ピーク波長Ｇ１Ｂ１の回折効率よりも低くなるように、ホログラム感光材料２４ａを露光する作製用光源（光源３１（図７参照））からのＲＧＢのレーザー光の露光量をシャッター３３にて調整し、調整した露光量でホログラム感光材料２４ａを露光し、光学素子２４を作製する。
【０１１２】
このようにして光学素子２４を作製することにより、規定された消費電力の総和の範囲内で、発光チップ１２Ｒに流す電流値を上げてその光量を上げることができる。したがって、極力省電力で明るい光量を得ることができる。一方、回折ピーク波長Ｇ１Ｂ１の回折効率が、回折ピーク波長Ｒ１よりも高く設定されることになるので、発光チップ１２Ｇ・１２Ｂに流す電流値を下げても、最終的に得られるＧやＢの光量が低下することがなくなる。したがって、最終的に得られるＲＧＢの光量低下を起こすことなく、光源１２の消費電力を抑えることができる。つまり、省電力で同じ明るさを得ることができる。
【０１１３】
しかも、各発光チップ１２Ｒ・１２Ｇ・１２Ｂに同時に流す電流を調整する際には、例えば再生光が白色となるように各電流を調整し、ＲＧＢの光強度を調整することができる。したがって、この場合には、用いる光源１２ごとにカラーバランスが良好で明るい映像を得ることができる。
【０１１４】
つまり、光源１２の消費電力を考慮して光学素子２４を作製することにより、用いる光源１２ごとにカラーバランスが良好で明るい映像を得ることができるとともに、その効果を、光源１２の省電力で得ることができる。
【０１１５】
特に、光学素子２４における各回折ピーク波長（Ｒ１Ｇ１Ｂ１）での回折効率が、光源１２から光学素子２４を介して得られる再生光が白色となる回折効率となるように、作製用光源（光源３１）から出射される各波長のレーザー光の露光量を調整すれば、光学素子２４を介してカラーバランスの良好なカラー映像を確実に得ることができる。
【０１１６】
なお、このような映像の明るさおよび光源１２の光の効率的な利用を考えると、図１３（ｄ）に示すように、各回折ピーク波長（Ｒ１Ｇ１Ｂ１）の回折効率のうち、最大の回折効率が７０％以上となるように、光学素子２４を作製すればよい。
【０１１７】
なお、光源１２の消費電力を考慮して回折効率を設定し、光学素子２４を作製する場合でも、先に説明したホログラム感光材料２４ａの露光方法等、本明細書で説明した事項を適用することは勿論可能である。
【０１１８】
〔９．ＬＣＤについて〕
次に、本実施形態で使用するＬＣＤ１５の詳細について説明する。
図１４（ａ）（ｂ）は、ＬＣＤ１５の構成例を示すものであって、図１４（ａ）は、フィールドシーケンシャル方式で駆動されるＬＣＤ１５の１画素の構成を示す断面図であり、図１４（ｂ）は、カラーフィルタを有するＬＣＤ１５の１画素の構成を示す断面図である。本実施形態では、図１４（ａ）（ｂ）のいずれのＬＣＤ１５を用いることができる。
【０１１９】
まず、図１４（ａ）のＬＣＤ１５について説明する。図１４（ａ）のＬＣＤ１５は、光源１２から出射される光を映像信号に応じて変調する光変調素子であり、一対の透明基板５１・５２で液晶層５３を挟持して構成されている。一方の透明基板５１の液晶層５３側には、透明電極（画素電極）５４および配向膜５５がこの順で積層されており、他方の透明基板５２の液晶層５３側には、対向電極５６および配向膜５７がこの順で積層されている。つまり、図１４（ａ）のＬＣＤ１５は、カラーフィルタを有してはいない。なお、図示はしないが、各画素に対応してＴＦＴ（Thin Film Transistor）が設けられており、ＴＦＴのゲート電極は走査線と接続され、ソース電極は信号線と接続され、ドレイン電極は透明電極５４と接続されている。
【０１２０】
図１４（ａ）のＬＣＤ１５を用いる場合、光源１２として異なる発光波長（ＲＧＢ）の発光チップを時分割で順次発光させるものを用いることができる。このような光源１２は、図１２で示したような、ＲＧＢの発光チップを共通の基板上に有する１チップタイプのものであってもよいし、ＲＧＢの発光チップを異なる基板上に独立して有するものであってもよい。
【０１２１】
図１４（ａ）のＬＣＤ１５では、各画素が時分割で駆動される、つまり、各画素における光の透過が、ＲＧＢの画像データに応じて時分割で制御されるので、光源１２からＲＧＢの光が時分割で順次にＬＣＤ１５に供給されることにより、ＬＣＤ１５ではＲＧＢの映像が時分割で表示される。これにより、ＬＣＤ１５からのＲＧＢの映像光を光学素子２４を介して光学瞳Ｅに導いたときには、観察者は、カラー映像を観察することができる。
【０１２２】
フィールドシーケンシャル方式のＬＣＤ１５は、光量ロスを招くカラーフィルタを有していないので、このＬＣＤ１５を用いた場合は、再生用光源である光源１２から出射される光の利用効率を上げることができ、明るい映像を得ることができる。また、上記ＬＣＤ１５を用いた場合は、光源１２において、ＲＧＢの照明光源（発光チップ）が同時に点灯しないので、各照明光源のそれぞれに定格電流の上限値を流すことが可能となる。したがって、この点からも、用いる光源１２の出射光の光量を最大限に利用して、明るい映像を得ることができる。
【０１２３】
次に、図１４（ｂ）のＬＣＤ１５について説明する。図１４（ｂ）のＬＣＤ１５は、図１４（ａ）のＬＣＤ１５にさらにカラーフィルタ５８を設けたものである。カラーフィルタ５８は、ＲＧＢの各フィルタ５８Ｒ・５８Ｇ・５８Ｂからなり、透明基板５２の液晶層５３側に形成されている。対向電極５６および配向膜５７は、カラーフィルタ５８上にこの順で積層されている。なお、図１４（ｂ）では、１画素内に各フィルタ５８Ｒ・５８Ｇ・５８Ｂを形成しているが、各画素ごとに各フィルタ５８Ｒ・５８Ｇ・５８Ｂを形成してもよい。
【０１２４】
図１４（ｂ）のＬＣＤ１５を用いる場合、光源１２として異なる発光波長（ＲＧＢ）の発光チップを同時に発光させるものを用いることができる。このような光源１２は、図１２で示したような、ＲＧＢの発光チップを共通の基板上に有する１チップタイプのものであってもよいし、ＲＧＢの発光チップを異なる基板上に独立して有するものであってもよいし、白色光を出射するものであってもよい。
【０１２５】
図１４（ｂ）のＬＣＤ１５では、各画素がＲＧＢの画像データに応じて同時に駆動されるので、光源１２からＲＧＢの光（または白色光）が同時にＬＣＤ１５に供給されることにより、ＬＣＤ１５ではカラー映像が表示される。したがって、ＬＣＤ１５からの映像光を光学素子２４を介して光学瞳Ｅに導いたときには、観察者は、カラー映像を観察することができる。
【０１２６】
また、図１４（ｂ）のＬＣＤ１５を用いるときは、光源１２として、ＲＧＢの光を時分割で順次に発光するものを用いてもよい。この場合は、フィールドシーケンシャル方式の場合と同様に、光源１２のＲＧＢの照明光源（発光チップ）のそれぞれに定格電流の上限値を流すことが可能となるので、明るい映像を得ることができる。
【０１２７】
このように、カラーフィルタ方式のＬＣＤ１５を用いるときは、光源１２として、ＲＧＢの光を同時に発光するものや、ＲＧＢの光を時分割で順次に発光するものを用いることができ、これらの両者に対応することができる。
【０１２８】
特に、光源１２として、ＲＧＢの発光チップが１つのパッケージに実装されたものを用いたとき、各発光チップを同時に発光させたときの放熱の都合上、各発光チップのそれぞれが消費する消費電力の和に上限が設けられている。そこで、上述したように、各発光チップの消費電力を考慮して、対応する回折ピーク波長の回折効率を設定してホログラムを作製すれば、省電力でかつカラーバランスが良好で最大限明るい映像を得ることができるので、光変調素子として、カラーフィルタ５８を有するＬＣＤ１５を用いたときでも、性能の良好なＨＭＤを実現することができる。
【０１２９】
なお、本実施形態では、接眼光学系２１として光学素子２４が透明基材２２・２３で挟持された構成について説明したが、本実施形態で説明した構成は、光学素子２４が単に透明基材２２上に貼り付けられて光学デバイスが構成される場合にも勿論適用することができる。この場合、本実施形態のような、透明基材２２・２３同士を接合するための接着剤が不要なので、接着剤の光学素子２４への悪影響を無くすことができる。
【０１３０】
なお、本実施形態では、透明基材２２・２３の接合面は、平面である場合について説明したが、これに限定されるわけではなく、例えば曲面であってもよい。
【０１３１】
なお、本実施形態では、映像表示装置１をＨＭＤに適用した例について説明したが、例えばヘッドアップディスプレイに適用することも可能である。
【０１３２】
なお、本実施形態では、透明基材２２・２３として、平板上のものを用いているが、曲率を有するものであってもよい。この場合、接眼光学系２１に矯正眼鏡レンズとしての機能を持たせることもできる。
【０１３３】
なお、本実施形態で記載した発明は、以下のように表現することもできる。
本発明の光学デバイスの製造方法は、透明基材上に貼り付けられたホログラム感光材料を作製用光源からの複数の波長のレーザー光で露光し、上記透明基材上に対応する複数の回折ピーク波長を持つ（複数の波長域で回折ピークが存在する）ホログラム光学素子を形成する光学デバイスの製造方法であって、再生時に、上記光学素子における各回折ピーク波長での回折効率が、再生用光源の出射光における各回折ピーク波長での光強度に応じた回折効率となるように、上記作製用光源から出射される各波長のレーザー光の露光量を調整することを特徴としている。
【０１３４】
また、本発明の光学デバイスは、透明基材上に貼り付けられたホログラム感光材料を作製用光源からの複数の波長のレーザー光で露光し、上記透明基材上に対応する複数の回折ピーク波長を持つホログラム光学素子を形成した光学デバイスであって、再生時に、上記光学素子における各回折ピーク波長での回折効率が、再生用光源の出射光における各回折ピーク波長での光強度に応じた回折効率となるように、上記作製用光源から出射される各波長のレーザー光の露光量が調整され、その調整された露光量で上記ホログラム感光材料が露光されて上記光学素子が形成されていることを特徴としている。
【０１３５】
上記の構成によれば、ホログラム光学素子における各回折ピーク波長（例えばＲ１Ｇ１Ｂ１）での回折効率が、再生用光源の出射光における各回折ピーク波長（例えばＲ１Ｇ１Ｂ１）での光強度に応じた回折効率となるように、作製用光源から出射される各波長（例えばＲ２Ｇ２Ｂ２）のレーザー光の露光量が調整される。例えば、再生用光源の出射光の光強度が、大きいほうからＢ１、Ｇ１、Ｒ１の順に小さくなっている場合には、光学素子における回折効率が小さいほうからＢ１、Ｇ１、Ｒ１の順に大きくなるように、作製用光源から出射されるＲ２Ｇ２Ｂ２のレーザー光の露光量が調整される。
【０１３６】
このように、用いる再生用光源の出射光の各回折ピーク波長での光強度を考慮して、その光強度に応じた回折効率が得られるようにレーザー光の露光量を各波長ごとに調整し、透明基材上に光学素子を形成するので、再生用光源から光学素子を介して得られる光（再生光）の色調を、用いる再生用光源の出射光の光量を最大限に利用しながら、用いる再生用光源ごとに所望の色調に調整することができる。これにより、用いる再生用光源ごとにカラーバランスが良好で明るい映像を得ることができる。
【０１３７】
本発明の光学デバイスの製造方法は、透明基材上に貼り付けられたホログラム感光材料を作製用光源からの複数の波長のレーザー光で露光し、上記透明基材上に対応する複数の回折ピーク波長を持つホログラム光学素子を形成する光学デバイスの製造方法であって、再生時に、再生用光源として、各回折ピーク波長に対応した複数の照明光源を用い、上記複数の照明光源のうち、同じ値の電流を流したときに消費電力が最も少ない特性を有する照明光源に対応した回折ピーク波長の回折効率が、他の回折ピーク波長の回折効率よりも低くなるように、上記作製用光源から出射される各波長のレーザー光の露光量を調整することを特徴としている。
【０１３８】
また、本発明の光学デバイスは、透明基材上に貼り付けられたホログラム感光材料を作製用光源からの複数の波長のレーザー光で露光し、上記透明基材上に対応する複数の回折ピーク波長を持つホログラム光学素子を形成した光学デバイスであって、再生時に、再生用光源として、各回折ピーク波長に対応した複数の照明光源を用い、上記複数の照明光源のうち、同じ値の電流を流したときに消費電力が最も少ない特性を有する照明光源に対応した回折ピーク波長の回折効率が、他の回折ピーク波長の回折効率よりも低くなるように、上記作製用光源から出射される各波長のレーザー光の露光量が調整され、その調整された露光量で上記ホログラム感光材料が露光されて上記光学素子が形成されていることを特徴としている。
【０１３９】
例えば、各回折ピーク波長（Ｒ１Ｇ１Ｂ１）に対応した複数の照明光源（ＲＧＢ）において、同じ値の電流を流したときの消費電力が、大きいほうからＢ、Ｇ、Ｒの順に小さくなっている場合には、消費電力が最も少ないＲの照明光源に対応する回折ピーク波長Ｒ１の回折効率が、他の回折ピーク波長Ｇ１Ｂ１の回折効率よりも低くなるように、作製用光源から出射されるＲ２Ｇ２Ｂ２のレーザー光の露光量が調整される。
【０１４０】
一般に、各照明光源から出射される光の光量（明るさ）は、各照明光源に流す電流を多くすればするほど増大するが、ＲＧＢの各照明光源の消費電力の和に上限が設けられている場合には、ＲＧＢの各照明光源に定格電流の上限を流すことができず、その結果、光量低下が起こる場合がある。
【０１４１】
しかし、上記構成では、例えば、Ｒの照明光源に比べて消費電力が大きいＧやＢの照明光源に対応する回折ピーク波長Ｇ１Ｂ１の回折効率が、回折ピーク波長Ｒ１よりも高く設定されることになるので、最終的に得られるＲＧＢの光量低下を起こすことなく、ＧやＢの照明光源に流す電流値を下げてその消費電力を抑えることができる。つまり、省電力で同じ明るさを得ることができる。
【０１４２】
また、消費電力が最も小さいＲの照明光源に対応する回折ピーク波長Ｒ１の回折効率が、他の回折ピーク波長Ｇ１Ｂ１よりも低く設定されているので、規定された消費電力の総和の範囲内で、Ｒの照明光源に流す電流値を上げてその光量を上げることができる。なお、同じ値の電流を流したときの消費電力はＲの照明光源が最も小さいため、電流値の増大に対する消費電力の増大の仕方（変化の割合）は、Ｒの照明光源が最も小さい。したがって、極力省電力で明るい光量を得ることができる。
【０１４３】
しかも、上記のように各照明光源に流す電流を調整する際に、例えば再生光が白色となるように各電流を調整し、ＲＧＢの光強度を調整すれば、用いる再生用光源ごとにカラーバランスが良好で明るい映像を得ることができる。
【０１４４】
つまり、上記の構成によれば、用いる再生用光源ごとにカラーバランスが良好で明るい映像を得ることができるとともに、その効果を、再生用光源の省電力で得ることができる。
【０１４５】
本発明の光学デバイスの製造方法においては、上記光学素子における各回折ピーク波長での回折効率が、上記再生用光源から上記光学素子を介して得られる再生光が白色となる回折効率となるように、上記作製用光源から出射される各波長のレーザー光の露光量を調整することが望ましい。また、本発明の光学デバイスにおいては、上記光学素子における各回折ピーク波長での回折効率は、上記再生用光源から上記光学素子を介して得られる再生光が白色となる回折効率となるように設定されていることが望ましい。
【０１４６】
この場合、再生用光源から光学素子に供給される各波長の光は、再生光が白色となるように光学素子にて回折されるので、その光学素子を介してカラーバランスの良好なカラー映像を確実に得ることができる。
【０１４７】
本発明の光学デバイスの製造方法においては、上記光学素子における各回折ピーク波長での回折効率が、上記再生用光源にて光強度が定格光量の７０％以上となる光を発光させて上記光学素子に供給したときに、上記光学素子から出射される再生光が白色となる回折効率となるように、上記作製用光源から出射される各波長のレーザー光の露光量を調整することが望ましい。また、本発明の光学デバイスにおいては、上記光学素子における各回折ピーク波長での回折効率は、上記再生用光源にて光強度が定格光量の７０％以上となる光を発光させて上記光学素子に供給したときに、上記光学素子から出射される再生光が白色となる回折効率となるように設定されていることが望ましい。
【０１４８】
この場合、再生用光源にて発光される光の光強度が定格光量の７０％以上であり、このような光が光学素子に供給されたときに、各波長の光は、光学素子からの再生光が白色となるように光学素子にて回折されるので、その光学素子を介してカラーバランスが良好でかつ明るいカラー映像を確実に得ることができる。
【０１４９】
本発明の光学デバイスの製造方法および光学デバイスにおいては、上記再生光は、ＸＹＺ表色系におけるＸＹ色度座標で、（Ｘ，Ｙ）＝（０．３２±０．０５，０．３３±０．０５）の範囲内にある白色であることが望ましい。この場合、再生光を見る観察者に実質的に白色を感じさせることができる。
【０１５０】
本発明の光学デバイスの製造方法においては、上記再生用光源として、発光ダイオード（ＬＥＤ）を用いることが望ましい。また、本発明の光学デバイスにおいては、上記再生用光源は、発光ダイオードであることが望ましい。この場合、再生用光源として、例えば赤（Ｒ）、緑（Ｇ）、青（Ｂ）ごとに独立に光を発光させることが容易となり、上記各回折ピーク波長での光強度を考慮して光学デバイスを製造することが容易となる。
【０１５１】
本発明の光学デバイスの製造方法および光学デバイスにおいては、上記発光ダイオードは、赤（Ｒ）、緑（Ｇ）、青（Ｂ）の３色の光を発光するものであることが望ましい。なお、発光ダイオードは、１チップでＲＧＢの各色の光を発光するものであってもよいし、別々のチップでＲＧＢの各色を個別に発光するものであってもよい。このようなＲＧＢの３色発光の発光ダイオードを用いることにより、光学素子を介して得られるカラー映像における色再現性を良好にすることができる。また、ホログラム感光材料との波長のマッチングも良い。
【０１５２】
特に、上記発光ダイオードが、異なる発光波長の発光チップが複数個、１つのパッケージに実装されてなる場合には、本発明の効果がより大きなものとなる。なお、複数の発光チップは、ＲＧＢの光を発光するものであってもよいし、その他の波長の光を発光するものであってもよい。複数の発光チップが１つのパッケージに実装されている場合、各発光チップを同時に発光させたときの放熱の都合上、複数の発光チップのそれぞれが消費する消費電力の和に上限が設けられている。このため、上述したように各発光チップの消費電力を考慮して、対応する回折ピーク波長の回折効率を設定してホログラムを作製することにより、省電力でかつカラーバランスが良好で最大限明るい映像を得ることができる。
【０１５３】
本発明の光学デバイスの製造方法においては、上記ホログラム感光材料の露光面上のどの位置においても、上記作製用光源から照射されるレーザー光の強度の各波長ごとの比が略一定となるように、上記各波長のレーザー光を調整することが望ましい。また、本発明の光学デバイスにおいては、上記ホログラム感光材料の露光面上のどの位置においても、上記作製用光源から照射されるレーザー光の強度の各波長ごとの比が略一定となるように、上記各波長のレーザー光が調整され、その調整されたレーザー光で上記ホログラム感光材料が露光されて上記光学素子が形成されていることが望ましい。
【０１５４】
この場合、ホログラム感光材料の露光面に対応する光学素子の面上のどの位置においても、各波長間での回折効率の比が略一定となるので、光学素子を介して得られるカラー映像における全体の色むらを低減することができる。
【０１５５】
本発明の光学デバイスの製造方法においては、上記作製用光源から出射される複数の波長のレーザー光は、赤、緑、青の各色の光であり、上記作製用光源から上記ホログラム感光材料の露光面上の第１の位置に照射される赤、緑、青のレーザー光の強度をそれぞれＲ１、Ｇ１、Ｂ１とし、上記露光面上の上記第１の位置とは異なる第２の位置に照射される赤、緑、青のレーザー光の強度をそれぞれＲ２、Ｇ２、Ｂ２とすると、上記第１の位置および上記第２の位置として、上記露光面上のどの位置を選択しても、
｜（Ｒ１／Ｇ１）−（Ｒ２／Ｇ２）｜≦０．３×（Ｒ１／Ｇ１）、かつ、
｜（Ｂ１／Ｇ１）−（Ｂ２／Ｇ２）｜≦０．３×（Ｂ１／Ｇ１）
が成り立つように、上記赤、緑、青の各レーザー光を調整することが望ましい。
【０１５６】
また、本発明の光学デバイスにおいては、上記作製用光源から出射される複数の波長のレーザー光は、赤、緑、青の各色の光であり、上記作製用光源から上記ホログラム感光材料の露光面上の第１の位置に照射される赤、緑、青のレーザー光の強度をそれぞれＲ１、Ｇ１、Ｂ１とし、上記露光面上の上記第１の位置とは異なる第２の位置に照射される赤、緑、青のレーザー光の強度をそれぞれＲ２、Ｇ２、Ｂ２とすると、上記第１の位置および上記第２の位置として、上記露光面上のどの位置を選択しても、
｜（Ｒ１／Ｇ１）−（Ｒ２／Ｇ２）｜≦０．３×（Ｒ１／Ｇ１）、かつ、
｜（Ｂ１／Ｇ１）−（Ｂ２／Ｇ２）｜≦０．３×（Ｂ１／Ｇ１）
が成り立つように、上記赤、緑、青の各レーザー光が調整され、その調整されたレーザー光で上記ホログラム感光材料が露光されて上記光学素子が形成されていることが望ましい。
【０１５７】
この場合、ホログラム感光材料の露光面に対応する光学素子の面上のどの位置においても、各波長間での回折効率の差を約２０％以内に収めることができる。これにより、光学素子を介して得られるカラー映像における全体の色むらを、実質的に問題にならない程度まで低減することができる。
【０１５８】
本発明の光学デバイスの製造方法においては、上記ホログラム感光材料の露光面上で、上記作製用光源から照射される各波長のレーザー光の強度が最大となる各位置についての各波長間での位置ずれ量が、上記露光面における長軸方向の長さの１／２以下となるように、上記各波長のレーザー光を調整することが望ましい。また、本発明の光学デバイスにおいては、上記ホログラム感光材料の露光面上で、上記作製用光源から照射される各波長のレーザー光の強度が最大となる各位置についての各波長間での位置ずれ量が、上記露光面における長軸方向の長さの１／２以下となるように、上記各波長のレーザー光が調整され、その調整されたレーザー光で上記ホログラム感光材料が露光されて上記光学素子が形成されていることが望ましい。
【０１５９】
この場合、ホログラム感光材料の露光面に対応する光学素子の面上のどの位置においても、各波長間での回折効率の差を約２０％以内に容易にかつ効率的に収めることができる。これにより、光学素子を介して得られるカラー映像における全体の色むらを、実質的に問題にならない程度まで容易にかつ効率的に低減することができる。
【０１６０】
本発明の光学デバイスの製造方法においては、上記ホログラム感光材料の露光面の長軸方向の両端の２点における、上記作製用光源から照射される各波長のレーザー光の強度が、各波長ごとに略同一となるように、上記各波長のレーザー光を調整することが望ましい。また、本発明の光学デバイスにおいては、上記ホログラム感光材料の露光面の長軸方向の両端の２点における、上記作製用光源から照射される各波長のレーザー光の強度が、各波長ごとに略同一となるように、上記各波長のレーザー光が調整され、その調整されたレーザー光で上記ホログラム感光材料が露光されて上記光学素子が形成されていることが望ましい。
【０１６１】
ホログラム感光材料の露光面の長軸方向の両端の２点における、上記作製用光源から照射される各波長のレーザー光の強度が、各波長ごとに略同一であれば、上記露光面に対応する光学素子の面上のどの位置においても、各波長間での回折効率の差が約２０％以内に収まると簡易的に判断することができる。これにより、光学素子を介して得られるカラー映像における全体の色むらを、実質的に問題にならない程度まで簡易的に低減することができる。
【０１６２】
本発明の光学デバイスの製造方法においては、上記ホログラム感光材料の露光面上で、上記作製用光源から照射される各波長のレーザー光の絶対強度が最大となる位置と、上記絶対強度が最小となる位置との間での絶対強度の差が、各波長ごとに最大絶対強度の５０％以下となるように、上記各波長のレーザー光を調整することが望ましい。また、本発明の光学デバイスにおいては、上記ホログラム感光材料の露光面上で、上記作製用光源から照射される各波長のレーザー光の絶対強度が最大となる位置と、上記絶対強度が最小となる位置との間での絶対強度の差が、各波長ごとに最大絶対強度の５０％以下となるように、上記各波長のレーザー光が調整され、その調整されたレーザー光で上記ホログラム感光材料が露光されて上記光学素子が形成されていることが望ましい。
【０１６３】
ホログラム感光材料の露光面に対応する光学素子の面上の任意の２点において、各波長についてのレーザー光の絶対強度の差があまりにも大きければ、それは光学素子を介して得られるカラー映像の中では明るさの差として観察者に認識されてしまう。そこで、上記露光面上での各波長ごとのレーザー光の絶対強度の最大の差が、各波長ごとに最大絶対強度の５０％以下となるように、上記レーザー光を調整すれば、上記カラー映像の中での明るさの差を小さくすることができる。これにより、上記カラー映像における輝度むらを低減することができる。
【０１６４】
本発明の映像表示装置は、上述した本発明の光学デバイスと、映像を表示して上記光学デバイスに提供する映像表示素子とを備えていることを特徴としている。この構成により、観察者は、映像表示素子から提供される映像を光学デバイスを介して観察することができるのと同時に、光学デバイスを介してシースルーで外界像を観察することもできる。
【０１６５】
本発明の映像表示装置において、上記映像表示素子は、光を出射する再生用光源と、上記再生用光源から出射される光を映像信号に応じて変調する光変調素子とを備えていることが望ましい。再生用光源から出射される光が光変調素子にて変調されることで、光変調素子にて映像を表示することができる。
【０１６６】
このとき、上記再生用光源は、発光ダイオードであることが望ましい。この場合、例えば赤（Ｒ）、緑（Ｇ）、青（Ｂ）ごとに独立して光を発光させることが可能となるので、光変調素子として、例えばフィールドシーケンシャル方式で駆動されるＬＣＤや、カラーフィルタを有するＬＣＤを用いることができ、これらの両方に容易に対応することができる。
【０１６７】
また、上記発光ダイオードは、赤、緑、青の３色の光を発光するものであることが望ましい。このようなＲＧＢの３色発光の発光ダイオードを用いることにより、光学素子を介して得られるカラー映像における色再現性を良好にすることができる。
【０１６８】
特に、上記発光ダイオードが、異なる発光波長の発光チップが複数個、１つのパッケージに実装されてなるものであることが望ましい。なお、複数の発光チップは、ＲＧＢの光を発光するものであってもよいし、その他の波長の光を発光するものであってもよい。複数の発光チップが１つのパッケージに実装された１チップタイプの場合、各発光チップを同時に発光させたときの放熱の都合上、複数の発光チップのそれぞれが消費する消費電力の和に上限が設けられている。そこで、このような発光ダイオードを用いる場合には、各発光チップの消費電力を考慮して、対応する回折ピーク波長の回折効率を設定してホログラムを作製することで、省電力でかつカラーバランスが良好で最大限明るい映像を得ることができる。その結果、性能の良好な映像表示装置を実現することができる。
【０１６９】
また、上記光変調素子は、フィールドシーケンシャル方式で駆動されるものであってもよい。上記光変調素子は、光量ロスを招くカラーフィルタを有していないので、再生用光源から出射される光の利用効率を上げることができ、明るい映像を得ることができる。
【０１７０】
また、上記光変調素子は、カラーフィルタを有するものであってもよい。この場合は、再生用光源として、ＲＧＢの光を時分割で順次に発光するものや、ＲＧＢの光を同時に発光するものを用いることができ、これらの両者に容易に対応することができる。
【０１７１】
また、本発明の映像表示装置において、上記再生用光源は、異なる発光波長の発光チップを時分割で順次発光させる構成であってもよい。この場合、再生用光源では、異なる波長の照明光源が同時に点灯しないので、各発光波長の照明光源のそれぞれに定格電流上限値を流すことが可能となる。これにより、用いる再生用光源の出射光の光量を最大限に利用して、明るい映像を得ることができる。
【０１７２】
また、本発明の映像表示装置において、上記再生用光源は、異なる発光波長の発光チップを同時に発光させる構成であってもよい。例えば、複数の発光チップが１つのパッケージに実装された１チップタイプの場合、各発光チップを同時に発光させたときの放熱の都合上、複数の発光チップのそれぞれが消費する消費電力の和に上限が設けられている。そこで、各発光チップの消費電力を考慮して、対応する回折ピーク波長の回折効率を設定してホログラムを作製すれば、省電力でかつカラーバランスが良好で最大限明るい映像を得ることができる。したがって、光変調素子がカラーフィルタを有するもので構成されている場合でも、性能の良好な映像表示装置を実現することができる。
【０１７３】
本発明の映像表示装置において、光学デバイスの光学素子は、体積位相型の反射型ホログラムであることが望ましい。この場合、映像表示素子から提供される映像光を上記ホログラムにて観察者の方向に反射させることにより、観察者に虚像を観察させることができる。しかも、体積位相型の反射型ホログラムは、外界像の光の透過率が高いので、観察者は外界像を明瞭に観察することができる。
【０１７４】
また、上記光学デバイスの光学素子は、上記映像表示素子から提供される映像と外界像とを同時に観察者の目に導くコンバイナであってもよい。この場合、観察者は、上記光学素子を介して、映像表示素子から提供される映像と外界像とを同時に観察することができる。
【０１７５】
また、上記光学デバイスは、上記映像表示素子に表示される映像を拡大して観察者の目に虚像として導く接眼光学系を構成していてもよい。この場合、観察者は、映像表示素子に表示される映像を虚像として十分に視認することができる。また、接眼光学系は、映像表示素子の表示映像を拡大虚像として観察者に提供するので、接眼光学系を構成する光学デバイスの小型化、軽量化が可能となり、映像表示装置の小型化、軽量化が可能となる。
【０１７６】
また、上記接眼光学系は、非軸対称な（正の）光学パワーを有していることが望ましい。この場合、接眼光学系を小型にしても、良好に収差補正された映像を観察者に提供することができる。
【０１７７】
また、上記光学デバイスの透明基材は、上記映像表示素子から提供される映像の光を内部で全反射させて上記光学素子に導く構成が望ましい。この構成によれば、映像表示素子から提供される映像光を無駄なく利用して、観察者に明るい映像を提供することができる。また、映像表示素子を光学デバイスから離れた位置に配置することも可能となり、観察者の外界に対する視野を広く確保することができる。
【０１７８】
また、上記光学デバイスの光学素子の透過率は、１０％以上であることが望ましい。この場合、観察者は、光学素子を介しても外界像をシースルーで十分に観察することができる。
【０１７９】
本発明のヘッドマウントディスプレイは、上述した映像表示装置と、上記映像表示装置を観察者の眼前で支持する支持手段とを備えていることを特徴としている。この構成によれば、映像表示装置が支持手段によって観察者の眼前で支持されるので、観察者は、ハンズフリーとなり、外界像および映像表示素子での表示映像を虚像として観察しながら、空いた手で所望の作業を行うことができる。また、観察者の観察方向が一方向に定まるので、観察者は暗環境でも表示映像を探しやすいという利点もある。
【産業上の利用可能性】
【０１８０】
本発明の映像表示装置は、ヘッドマウントディスプレイやヘッドアップディスプレイに利用可能である。
【符号の説明】
【０１８１】
１    映像表示装置
２    支持手段
１２Ｒ  発光チップ（照明光源）
１２Ｇ  発光チップ（照明光源）
１２Ｂ  発光チップ（照明光源）
１５    ＬＣＤ（光変調素子）
２１    接眼光学系（光学デバイス）
２２    透明基材
２３    透明基材
２４    光学素子（ホログラム光学素子）
【図１】
0005488452.tif 000002
【図２】
0005488452.tif 000003
【図３】
0005488452.tif 000004
【図４】
0005488452.tif 000005
【図５】
0005488452.tif 000006
【図６】
0005488452.tif 000007
【図７】
0005488452.tif 000008
【図８】
0005488452.tif 000009
【図９】
0005488452.tif 000010
【図１０】
0005488452.tif 000011
【図１１】
0005488452.tif 000012
【図１２】
0005488452.tif 000013
【図１３】
0005488452.tif 000014
【図１４】
0005488452.tif 000015